【手続補正書】
【提出日】平成16年12月6日(2004.12.6)
【手続補正１】
【補正対象書類名】明細書
【補正対象項目名】特許請求の範囲
【補正方法】変更
【補正の内容】
【特許請求の範囲】
【請求項１】
人間の生理的パラメータを監視するための着用可能な装置であって：
ひとつまたは複数箇所の身体部位上に人が着用するための支持装置と；
支持装置の上に配置されその人の複数の生理的パラメータを測定するためのセンサ装置と；
そのセンサ装置に応答して測定された複数の生理的パラメータの各々の値を示すデータを遠隔位置に送信するための装置とを含む前記着用可能な装置。
【請求項２】
請求項１記載の着用可能な装置に於いて、支持装置が人間の胴の周りに装着可能な革帯を含む、前記着用可能な装置。
【請求項３】
請求項１記載の着用可能な装置に於いて、支持装置が人の手首の周りに装着可能なバンドを含む、前記着用可能な装置。
【請求項４】
請求項１記載の着用可能な装置に於いて、前記センサ装置が、
加速度計と、加速度計とその加速度計との通信途中に配置された複数のフィルタと、加速スイッチと、ＥＣＧ電極を含む心拍数センサと、ＥＣＧセンサを含む心拍数センサと、体表面温度センサと、および周囲温度センサと、
から構成されたグループより選択された、前記着用可能な装置。
【請求項５】
請求項１記載の着用可能な装置に於いて、センサ装置がどの生理的パラメータを測定するかを選択的に変更するためのモジュール型センサ装置を含む前記着用可能な装置。
【請求項６】
請求項１記載の着用可能な装置に於いて、送信するための装置がセンサ装置で検出された複数の生理的パラメータの値を示すデータを受信し、そして前記データを遠隔位置に通信するための受信／送信装置を含む前記着用可能な装置。
【請求項７】
請求項６記載の着用可能な装置に於いて、前記受信／送信装置がセンサ装置からデータを受信するための無線ローカルエリアネットワークを含む前記着用可能な装置。
【請求項８】
請求項６記載の着用可能な装置に於いて、送信するための装置が更にセンサ装置から受信された前記データを記録するためのデータ格納装置を含む前記着用可能な装置。
【請求項９】
請求項１記載の着用可能な装置に於いて、送信するための装置が更にセンサ装置から受信された値を、プロセッサ装置で受信された許容可能生理的範囲の各々の値と比較評価するためのプロセッサ装置を含む前記着用可能な装置。
【請求項１０】
請求項１記載の着用可能な装置に於いて、この装置が更にその人間の位置を決定するための衛星航法装置を含む前記着用可能な装置。
【請求項１１】
請求項１０記載の着用可能な装置に於いて、この装置が更にその人間の位置を遠隔位置に通信するためのアンテナ装置を含む前記着用可能な装置。
【請求項１２】
請求項１１記載の着用可能な装置に於いて、アンテナ装置がＧＰＳアンテナを含む前記着用可能な装置。
【請求項１３】
請求項１０記載の着用可能な装置に於いて、この装置が更にその人間の位置を表す印を表示するための表示装置を含む前記着用可能な装置。
【請求項１４】
請求項１記載の着用可能な装置に於いて、この装置が更に複数のポケットを有する革帯を含み、送信するための装置が少なくとも１つのポケットの中に配置され、少なくとも１つのアンテナ装置がこの革帯の上に配置され、送信するための装置と通信を行う前記着用可能な装置。
【請求項１５】
請求項１０の着用可能な装置を含む個人状態監視システムであって、更に：
携帯式遠隔監視ユニットを含み、これが：
送信するための装置から送信されたデータを受信するための通信装置と；そして
センサ装置で検出された少なくとも１つの生理的パラメータの値を表すデータを表示し、その人間の地理的位置を表す印を表示するための表示装置とを含む、前記個人状態監視システム。
【請求項１６】
請求項１５記載の個人状態監視システムに於いて、遠隔監視ユニットが更に、そこに格納されている生理的値に対する複数の許容可能範囲を有するデータ格納機構と、センサに応答する装置から受信されたデータをデータ格納機構の中に格納されている許容可能範囲と比較するためのプロセッサ装置とを含む、前記個人状態監視システム。
【請求項１７】
請求項１５記載の個人状態監視システムに於いて、携帯型遠隔監視ユニットが、表示スクリーンと送信するための装置と通信するためのデータ入力装置とを有する形態ユニットを含む前記個人状態監視システム。
【請求項１８】
請求項１７記載の個人状態監視システムに於いて、携帯型遠隔監視ユニットが、片手で持ててまた片手で操作出来るように構成されている前記個人状態監視システム。
【請求項１９】
個人を監視するための個人状態監視システムであって、このシステムが：
人間が着用するように構成され、温度センサ、心拍数センサと動作センサ等の人の生理的状態を表す信号を生成するためのセンサを含む統合センサ装置；
統合センサ装置と通信するように配置され、統合センサ装置からの信号を処理し、そこからデータを展開するためのプロセッサ装置と；
プロセッサ装置と通信するように配置され、プロセッサ装置で展開されたデータを遠隔位置に搬送するための無線通信装置と；そして
この統合センサ装置を着用している人間の位置を示すための衛星航法装置とを含む監視ユニットと；そして
監視ユニットの無線通信装置から搬送されたデータを受信するための遠隔監視装置とを含む、前記個人状態監視システム。
【請求項２０】
請求項１９記載の個人状態監視システムに於いて、統合センサユニットがその人の酸素消費量、呼吸数および血圧を判定するためのセンサ装置を含む、前記個人状態監視システム。
【請求項２１】
請求項１９記載の個人状態監視システムに於いて、個人状態監視ユニットが更に人間が着用可能な、その人間の地理的位置を示す印を表示するための表示装置を含み、この表示装置が表示スクリーンを含む前記個人状態監視システム。
【請求項２２】
請求項１９記載の個人状態監視システムに於いて、プロセッサ装置が更に人に医療処置を施すための外部治療装置がプロセッサ装置と通信するように配置された際に、この外部治療装置を制御するように構成された装置を含む前記個人状態監視システム。
【請求項２３】
請求項２２記載の個人状態監視システムに於いて、前記システムが更に、
薬剤供給装置の形式と、薬液点滴装置の形式と、および換気装置の形式と、から構成されたグループより選択された外部治療装置を含む、前記個人状態監視システム。
【請求項２４】
請求項１９記載の個人状態監視システムに於いて、遠隔監視装置が：
監視ユニットの無線通信装置からデータを受信するための指揮官／衛星兵装置と；そして
監視ユニットから受信されたデータを表す印を表示するための表示装置とを含む、移動体指揮官／衛生兵ユニットを含む前記個人状態監視システム。
【請求項２５】
請求項２４記載の個人状態監視システムに於いて、指揮官／衛星兵通信ユニットが更に監視ユニットから受信されたデータを記録するためのデータ格納装置を含む、前記個人状態監視システム。
【請求項２６】
請求項２４記載の個人状態監視システムに於いて、指揮官／衛星兵通信ユニットが更に監視ユニットから受信されたデータを処理するためのするためのプロセッサ装置を含む、前記個人状態監視システム。
【請求項２７】
請求項２６記載の個人状態監視システムに於いて、プロセッサ装置が監視ユニットから受信されたデータを分析し、前記データを予め定められた許容可能生理範囲と比較するための装置を含む前記個人状態監視システム。
【請求項２８】
請求項２４記載の個人状態監視システムに於いて、指揮官／衛星兵通信ユニットが片手で操作出来るように構成されている前記個人状態監視システム。
【請求項２９】
請求項２５記載の個人状態監視システムに於いて、遠隔監視装置が：
監視ユニットの無線通信装置からデータを受信するための中央指令通信装置と；そして
監視ユニットから受信されたデータを表示するための表示装置とを含む、指令ユニットを含む前記個人状態監視システム。
【請求項３０】
請求項２９記載の個人状態監視システムに於いて、指令ユニットが更に監視ユニットから受信されたデータを処理するためのするためのプロセッサ装置を含む、前記個人状態監視システム。
【請求項３１】
請求項３０記載の個人状態監視システムに於いて、プロセッサ装置が更に監視ユニットから受信されたデータを分析し、前記データを予め定められた許容可能生理範囲と比較するための装置を含む前記個人状態監視システム。
【請求項３２】
請求項２９記載の個人状態監視システムに於いて、システムが更に遠隔地域を分析するためのプローブ装置を含み、このプローブ装置が：
格納容器と；
該格納容器の中に配置され、その遠隔地域の環境条件をセンスし、その環境条件を表すデータを生成するための複数のセンサ装置と；そして
そのデータを指令ユニットと通信するための通信装置とを含む、前記個人状態監視システム。
【請求項３３】
請求項３２記載の個人状態監視システムに於いて、前記プローブ装置の複数のセンサ装置が、
化学兵器薬剤の存在を判定するための少なくとも１つのセンサと、生物兵器薬剤の存在を判定するための少なくとも１つのセンサと、光学画像を提供するための少なくとも１つの装置と、少なくとも１つのマイクロフォンと、加速度計と、温度センサと、赤外線センサと、および動作センサと、
から構成されたグループより選択された、前記個人状態監視システム。
【請求項３４】
請求項３２記載の個人状態監視システムに於いて、プローブ装置が更に電力供給装置、とセンサ装置及び電力供給装置と通信するように配置され複数のセンサ装置を制御し電力消費を調整するためのマイクロコンピュータとを含む、前記個人状態監視システム。
【請求項３５】
個人監視システムであって：
複数の生理的パラメータを測定しそのセンスされた生理的パラメータを表す信号を生成するための複数のセンサを有する、センサ装置と；
それらの信号を分析しその信号で表された生理的パラメータを許容可能生理パラメータの予め定められた範囲と比較するようにプログラムされたプロセッサ装置と；
センサ装置からの信号をプロセッサ装置へ搬送するための第一無線通信装置と；
兵士ユニットを装着している兵士の位置を判定するための衛星航法装置と；そして
生理的パラメータと兵士の位置を表す信号を遠隔指揮官／衛生兵ユニットそして／または遠隔指令ユニットに搬送するようにプロセッサ装置と通信するように配置された第二無線通信装置とを含む、兵士が着用するための少なくとも１つの兵士ユニットと：
兵士ユニットの第二通信装置から兵士の生理的パラメータと位置とを表す信号を受信するための通信装置と；
兵士の生理的パラメータと位置とを表す、目に見える印を選択的に表示するための表示装置と；そして
表示装置が生理的パラメータまたは位置を表す印のいずれを表示するかを選択的に制御するための入力装置とを含む、指揮官または衛生兵で使用するための少なくとも１つの指揮官／衛生兵ユニットと：そして
指揮官／衛生兵ユニットの通信装置および兵士ユニットの第二通信装置と通信するための指令通信装置と；
指揮官／衛生兵ユニットそして／または兵士ユニットから受信された信号を処理し、また１つまたは複数の信号が、兵士ユニットで監視された生理的パラメータが予め定められた生理的パラメータの許容可能範囲に入らないことを示す時に、警報信号を提供するために指令通信装置と通信するように配置されている指令プロセッサ装置と；そして
生理的パラメータそして／または兵士ユニットの位置を表す印を表示するための表示装置とを含む、少なくとも１つの兵士ユニットおよび少なくとも１つの指揮官／衛生兵ユニットの両方と通信するための少なくとも１つの指令ユニットとを含む、前記個人監視システム。
【請求項３６】
請求項３５記載のシステムに於いて、センサ装置が兵士の胴周りに着用可能な統合センサユニットを含み、この統合センサユニットが少なくもと１つの心拍数センサ、少なくとも１つの温度センサ、そして兵士の動きを監視するための少なくとも１つのセンサとを含む、前記システム。
【請求項３７】
請求項３５記載のシステムに於いて、センサ装置が兵士の手首に着用可能なベルトを含み、このセンサユニットが酸素消費センサと血圧センサとを含む、前記システム。
【請求項３８】
請求項３７記載のシステムに於いて、前記兵士ユニットが更に、
医療機器を運転するように構成された制御装置と、制御装置と通信する取り外し可能な医療機器と、および制御装置が生理的パラメータを表す信号に応答してこの生理的パラメータの変化に対応して医療機器の操作を調整することが可能となるようにしている制御装置と、
を含む前記個人監視システム。
【請求項３９】
請求項３５記載のシステムに於いて、兵士ユニットが更に兵士ユニットの位置を表す印を表示するための表示装置を含む、前記システム。
【請求項４０】
請求項３５記載のシステムに於いて、兵士ユニットが更にプロセッサ装置の中に情報を入力するためのデータ入力装置を含む、前記システム。
【請求項４１】
請求項３５記載のシステムに於いて、指揮官／衛生兵ユニットが更に可視画像を生成するように通信装置と通信するように配置されているカメラ装置を含む、前記システム。
【請求項４２】
請求項４１記載のシステムに於いて、指令ユニットが指揮官／衛生兵ユニットのカメラ装置で生成された可視画像を表示するための装置を含む、前記システム。
【請求項４３】
請求項３５記載のシステムに於いて、前記センサ装置が、
兵士ユニット周囲の環境パラメータを監視するための装置と、前記周囲の環境パラメータが兵士ユニットに隣接した環境温度を判定するための温度センサと、環境湿度を判定するための湿度センサと、
から構成されたグループより選択された、前記個人監視システム。